(57)【特許請求の範囲】
【請求項１】
ケース状のホルダへ所定位置までカードがスライド挿入された際に、該カードが上記ホルダに取りつけられた接触子の接触部と接続され、上記ホルダで摺動案内されて移動するスライダの押圧部にて上記カードの後端部を前方へ押して該カードを排出位置まで移動せしめることとするカード排出装置において、押圧部はカードを押圧する方向に延びるようにスライダに設けられた押圧片の前端面で形成され、ホルダは前進せるスライダの押圧片の進入を許容する切欠部が形成され、スライダの最前進位置で、押圧部が上記切欠部の後縁よりも前方に延びて形成されていることを特徴とするカード排出装置。
【請求項２】
スライダは窓部が形成され、押圧片が該窓部の縁部から断面を略Ｊ字状にして屈曲形成されていることとする請求項１に記載のカード排出装置。
【請求項３】
スライダは被圧部が設けられ、外部から操作されるエジェクトボタンを有するエジェクトレバーからの力をリンク機構を介して該被圧部で受けスライダがホルダで案内されて移動するようになっていることとする請求項１又は請求項２に記載のカード排出装置。
【発明の詳細な説明】
【０００１】
【発明の属する技術分野】
本発明はカード排出装置、特に接触子を有するホルダ内に挿入された該カードをホルダ外へ排出するためのカード排出装置に関するものである。
【０００２】
【従来の技術】
電子機器にあってはＰＣカード等の情報を有するカードを必要に応じそして異なるカードと交換自在に挿入して該電子機器の回路と接続させて機能の拡大を図るようにしている。該カードは、電子機器に設けられた挿入スリットを経てホルダ内に収められる。該ホルダには接触子が設けられていて、該カードはコネクタの接触子と電気的に接続され、この接触子が結線されている機器内の回路部と協働する。
【０００３】
カードが不要であったり他のカードと交換する際には、上記カードは電子機器から取り出されるが、その取出しはカード排出機構によってなされる。カード排出機構は、通常、外部から操作されるエジェクトボタンを有するエジェクトレバーと、これに連結されるリンク機構と、上記エジェクトレバーからの力をリンク機構を介して受けて上記ホルダに移動案内されてカードを押圧して排出位置へもたらすスライダとを有している。
【０００４】
上記ホルダ及びスライダの作動原理を示すと、例えば図４（Ａ）及び（Ｂ）のごとくである。
【０００５】
図４（Ａ）において、ホルダ５１にはカードＣを収めるための段状の案内部５１Ａが設けられており、該ホルダ５１の上面側に取りつけられた半ケース状のカバー体５２と共に、カードＣの挿入空間を形成している。該空間は右方に開放されている。又、上記ホルダ５１にはカバー体５２によって案内されるスライダ５３が取りつけられている。該スライダ５３は後端側に屈曲形成された押圧部５３Ａが設けられている。そして該スライダ５３は、カバー体５２に取りつけられたリンク機構（図示せず）と係合しており、該リンク機構は外部から操作されるエジェクトボタンを有するエジェクトレバー（図示せず）と連結されている。
【０００６】
上記のホルダ５１とカバー体５２により形成される挿入空間へ右側からカードＣが挿入されて図３（Ａ）の所定位置に収められると、上記ホルダ５１により保持されている接触子の弾性接触部（図示せず）が上記カードＣの面に形成されている回路部と接触するようになり、該カードＣは接触子が結線されている電子機器内の所定回路と電気的に接続されるようになる。
【０００７】
カードＣを取り出したいときには、電子機器の使用者は上記エジェクトボタンを押す。エジェクトレバーはこの押し込み力（図にて左方へ向かう力）をリンク機構を介して、上記スライダ５３を前方に向け移動せしめる力（図にて右方へ向う力）として該スライダ５３へ伝達する。スライダ５３はこの力を受けて右方へ距離Ｌ１だけ移動し、図４（Ｂ）に示されるように該スライダ５３の押圧部５３ＡにてカードＣを、ホルダ５１のカバー体５２から前方へ大きく突出させて排出位置へもたらす。
【０００８】
【発明が解決しようとする課題】
図４（Ｂ）に示されるカードＣは、排出のための突出距離が大きい程カードＰは電子機器の挿入スリット入口からの飛び出し量が大きくなり、取り出し易すい。電子機器の小型化が要請される傾向のもとで、装置すなわちホルダそしてそのカバー体の排出方向の大きさも、通常限界まで小さく設計されている。カードの排出のための上記カード突出距離を大きくするには、カバー体の上記方向寸法を小さくすることが考えられるが、上記状況では、それも困難であり、必要以上に小さくすると、カードの保持機能、接触子の保護機能等を損うことにもなる。
【０００９】
本発明は、かかる点に鑑み、装置を大型化することなく、上記スライダを大きな距離だけ移動させてカードを装置外へできるだけ大きく押し出して容易に取り出せる排出位置へもたらすことの可能なカード排出装置を提供することを目的とする。
【００１０】
【課題を解決するための手段】
本発明に係るカード排出装置は、ケース状のホルダへ所定位置までカードがスライド挿入された際に、該カードが上記ホルダに取りつけられた接触子の接触部と接続されるようになっている。
【００１１】
かかるカード排出装置は、上記ホルダで案内されて移動するスライダを有し、該スライダの押圧部にて上記カードの後端部を前方へ押して該カードを排出位置まで移動せしめることとしている。
【００１２】
本発明では、押圧部はカードを押圧する方向に延びるようにスライダに設けられた押圧片の前端面で形成され、ホルダは前進せるスライダの押圧片の進入を許容する切欠部が形成され、スライダの最前進位置で、押圧部が上記切欠部の後縁よりも前方に延びて形成されている。
【００１３】
上記の構成の本発明にあっては、カード排出時にスライダがその押圧部にて上記カードを前方へ押し出し排出位置へもたらす。その際、スライダの押圧片がホルダの切欠部内へ前進し、押圧片の前端面で形成された押圧部が切欠部の後縁位置を越えてさらに前進するので、該押圧部の移動距離は大きく設定することができ、その結果、カードは大きく突出せるまで押し出され、容易に取り出せるようになる。
【００１７】
【発明の実施の形態】
以下、添付図面の図１ないし図３にもとづき、本発明の実施の形態について説明する。
＜第一実施形態＞
図１は本発明の第一実施形態としてのカード排出装置を示し、図１（Ａ）は平面図、（Ｂ）は正面図、（Ｃ）は（Ｂ）におけるＣ−Ｃ断面図そして（Ｄ）はＤ−Ｄ断面図である。
【００１８】
図１においてホルダ１は本体２そしてカバー体３とを有している。ホルダ１の本体２は絶縁材料から作られており凹部２Ａが形成されている（図１（Ｃ）参照）。該ホルダ１の上面側には、金属板を屈曲形成して作られたカバー体３が取りつけられており、上記凹部２Ａとカバー体３によりカードを挿入するための挿入空間４が形成されている。該挿入空間４は、図１（Ｂ）及び（Ｄ）では上方に開口されている。
【００１９】
上記ホルダ１の本体２は、その凹部２Ａの面に並行に複数の溝部２Ｂが形成されており、各溝部２Ｂに接触子５が配されている。該接触子５は、一端部が上記本体２の底面に露呈する結線部５Ａとして形成され、中間部が上記溝部２Ｂよりもち上って「く」の字に屈曲された弾性を有する接触部５Ｂとなっている。
【００２０】
上記カバー体３は、図１（Ｃ）からも明らかなように、上記本体２の上部を覆う形態をなして上記本体２に固着されており、本体２の凹部２Ａとの間で上記の挿入空間４を形成している。該カバー体３には後方に開口せる細長い切欠部３Ａ，３Ｂが二箇所に形成されている。該切欠部３Ａ，３Ｂと上記挿入空間４とで、後述のスライダ６の押圧片９，１０に形成された押圧部９Ａ，１０Ａの前進を許容する空間を形成している。又、該カバー体３の後端側には、後述のスライダ６の板厚分だけ切り起こされたストッパ部３Ｃが設けられている。このストッパ部３Ｃは、該スライダ６の後述する窓部７，８の前縁と係止して、スライダ６の所定位置以上の後退を阻止する位置に設けられている。
【００２１】
かかる、カバー体３は切欠部３Ａが形成されてはいるものの前後方向に長い範囲で本体２をカバーするので、その分シールド効果が改善される。
【００２２】
上記本体２及びカバー体３の組立体で成るホルダ１には、金属板を加工して作られたスライダ６が前後に移動可能に支持されている。該スライダ６は、図１（Ｃ）からもわかるように、ホルダ１のカバー体３上面及び側面に面した略逆Ｕ字状をなしている。該スライダ６には、ホルダ１のカバー体３の上面に対面する位置に窓部７，８が形成されており、該窓部７，８の側縁にて内方に屈曲され断面が略Ｊ字状（図１（Ｃ）参照）をなしかつ前方に延びる押圧片９，１０が設けられている。該押圧片９，１０の前端面はカードを押圧するための押圧面９Ａ，１０Ａをそれぞれ形成する。上記押圧片９，１０は、上記ホルダ１のカバー体３の切欠部３Ａ，３Ｂにそれぞれ対応する位置に設けられ、スライダ６の最前進位置にあっても、上記カバー体３には当接しないようになっている。上記最前進位置では、スライダ６はその両側縁で屈曲された後端部６Ａが本体２の後端部２Ｃに当接してそれ以上の前進が阻止されるようになっている。
【００２３】
なお、上記スライダ６の所定位置まで前進した際のそれ以上の前進の規制は、上記後端部６Ａによらず、他の部分でも可能である。例えば、スライダ６の前端面が、カバー体３の切り起し部（図示せず）に当接するようにしてもよい。
【００２４】
さらに、上記スライダ６の上面側前縁部中央にはＬ字状に屈曲された係止片１１が設けられている。該係止片１１は、エジェクトレバーにより駆動されるリンク機構（図示せず）に係止される被圧部を形成し、このリンク機構により前進力（図１（Ｂ），（Ｄ）にて上方に向く力）を受ける。
【００２５】
次に、本実施形態のカード排出装置の使用要領について図２をも参照しつつ説明する。
▲１▼  本体２の底面に設けられた短柱状の突起２Ｄを電子機器の回路基板Ｐの所定位置決め孔に挿入し、該カード排出装置の位置決めを行なう（図２（Ａ）参照）。
▲２▼  次に、回路基板Ｐに接触せる接触子５の結線部５Ａを該回路基板Ｐの対応回路部（図示せず）と半田等により結線する。これにより、カード排出装置は回路基板に固定される。なお、カード排出装置がホルダ１等に固定金具等を有しているときには、それによっても固定される。
▲３▼  しかる後、図２（Ａ）にて、カードＣを左方に向け所定位置までホルダ１の挿入空間４内へ挿入する。この時点でカードＣの下面に形成されている接続回路部（図示せず）が接触子５の接触部５Ｂを弾圧し、該接触部５Ｂと電気的に接続される。
▲４▼  カードＣの排出時には、既述のエジェクトレバーのエジェクトボタン（図示せず）を使用者が押すことにより、リンク機構（図示せず）を介して、その押圧力Ｆをスライダ６の係止片１１に伝達する。この押圧力Ｆを受けたスライダ６は、ホルダ１に対し前進スライドする。
▲５▼  前進するスライダ６の押圧片９及び１０はその前端面の押圧面９Ａ及び１０ＡにてカードＣを前方に押して同方向に移動せしめる。このスライダ６の前進及びカードＣの移動は、スライダ６の後端部６Ａがホルダ１本体２の後端部２Ｃに当接するまで進行し当接によって終了する。その際、上記押圧片９，１０はカバー体３の切欠部３Ａ，３Ｂ内そして挿入空間４の上部をを進行するため、その進行距離は大きく設定されており、カードＣはそれだけ大きく電子機器の前面から突出することとなり、取り出しが簡単に行なわれる。
▲６▼  そして、最後にスライダ６は他のカードの挿入等の戻し力により、該スライダ６の窓部７，８の前縁がカバー体３のストッパ部３Ｃに当接するまで後退し、原位置に戻る。
【００２６】
本発明は図示の形態には限定されない。例えば、ホルダは本体とカバー体との結合によらずとも一体で形成されていてもよい。いずれの場合であっても、ホルダに切欠部が形成されてスライダの押圧片が前進可能となっていればよい。押圧片についても、その形態は種々変更可能であり、スライダを形成する金属板を曲げ加工して作らずとも、他の部材をスライダに取りつけて一体化としたものでも十分である。例えば、押圧片をピン状とし切欠部を孔状とすることも可能である。さらに、本発明の排出装置は、スライダがエジェクトレバーとリンク機構によって駆動されることを必ずしも要しない。直接使用者がスライダを押したり、あるいは他の部材（機構）で押しても良い。
＜第二実施形態＞
又、本発明に図１及び図２に示された切欠部を有するホルダを備えた実施形態によらずとも、実施可能である。例えば、図３に示されるごとく、スライダ６の後端部をホルダの本体２よりも後方に突出して位置せしめ、かかる後端部から押圧片１２を前方へ向け長く延出させる。この場合、ホルダには切欠部は必要でない。上記押圧片１２がホルダの本体２から突出する範囲では、通常、該ホルダが取付られている回路基板Ｐ上には背の低い電子部品Ｒが結線されていることが多く、押圧片１２の突出には何ら障害にならない。かくして、スライダの後端、すなわち押圧片の後端がホルダの本体２の後端位置までスライダ６が移動すると、長く設定された押圧片の長さ分だけカードは前方へ押し出されることとなる。
【００２７】
【発明の効果】
以上のごとく、本発明によると、カードの排出時に該カードを押し出すスライダに、押し出し方向に延びる押圧片を設け、該押圧片の前端部を押圧部とし、この押圧部が、スライダの前進時に該押圧片の前進を許容するようにホルダに形成された切欠部の後縁位置よりも押圧部がさらに前方に位置することとしたので、装置を上記押し出し方向に大型化することなく、上記押圧片の前進移動距離を大きく設定でき、カードを排出位置にて電子機器の前面から大きく突出させ、該カードを取り易くなった。
【図面の簡単な説明】
【図１】本発明のカード排出装置の第一実施形態を示し、図１（Ａ）は平面図、（Ｂ）は正面図、（Ｃ）は（Ｂ）におけるＣ−Ｃ断面図、（Ｄ）は（Ｂ）におけるＤ−Ｄ断面図である。
【図２】図１装置の使用時の様子を示す断面図で、図２（Ａ）はカード排出開始時、（Ｂ）はカード排出完了時を示す。
【図３】本発明の第二実施形態を示す断面図である。
【図４】従来装置の使用時の様子を示す断面図で、図４（Ａ）はカード排出開始時、（Ｂ）はカード排出完了時を示す。
【符号の説明】
１  ホルダ
３Ａ，３Ｂ  切欠部
５  接触子
５Ｂ  接触部
６  スライダ
７，８  窓部
９，１０  スライダに設けられた部分
９Ａ，１０Ａ  押圧部
１１  被圧部（係止片）
１２  押圧片
【図１】
0003836979.tif 000002
【図２】
0003836979.tif 000003
【図３】
0003836979.tif 000004
【図４】
0003836979.tif 000005